(57)【要約】【課題】  デジタルカメラを用いて他人が勝手にネットワークに接続できない様にする。【解決手段】  撮像画像データを記録するメモリカード３０が着脱自在に装着されるカード装着手段２７と、カメラ本体内に設けられ所定操作を許可するユーザを特定するパスワードが登録されたメモリ手段２０と、ユーザを特定するパスワードが書き込まれたメモリカード３０がカード装着手段２７に装着され所定操作が要求されたときメモリカード３０のパスワードがメモリ手段２０に登録されているパスワードと一致するか否かを判定し一致するとき該所定操作を許可する制御手段８とを備える。【選択図】  図１
2006041873.tif 000002
【特許請求の範囲】
【請求項１】
着脱自在のメモリカードに撮像画像データを記録すると共にカメラ本体内部にメモリ手段を有するデジタルカメラの認証方法において、該デジタルカメラの前記メモリ手段に該デジタルカメラの所定操作を許可するユーザを特定するパスワードを登録しておき、ユーザを特定するパスワードが書き込まれた前記メモリカードが前記デジタルカメラに装着され前記所定操作が要求された場合に、該メモリカードの前記パスワードと該デジタルカメラの前記メモリ手段に登録されているパスワードとが一致したとき前記所定操作が許可されることを特徴とするデジタルカメラの認証方法。
【請求項２】
撮像画像データを記録するメモリカードが着脱自在に装着されるカード装着手段と、カメラ本体内に設けられ所定操作を許可するユーザを特定するパスワードが登録されたメモリ手段と、ユーザを特定するパスワードが書き込まれた前記メモリカードが前記カード装着手段に装着され前記所定操作が要求されたとき該メモリカードの前記パスワードが前記メモリ手段に登録されている前記パスワードと一致するか否かを判定し一致するとき該所定操作を許可する制御手段とを備えることを特徴とする認証機能付きデジタルカメラ。
【請求項３】
前記メモリ手段に前記パスワードを登録する機能を搭載したことを特徴とする請求項２に記載の認証機能付きデジタルカメラ。
【請求項４】
前記カード装着手段に装着された前記メモリカードに前記パスワードを書き込む機能を搭載したことを特徴とする請求項２または請求項３に記載の認証機能付きデジタルカメラ。
【請求項５】
前記メモリ手段には、前記デジタルカメラの操作毎に操作権限を許可するユーザを特定するパスワードが登録されることを特徴とする請求項２乃至請求項４のいずれかに記載の認証機能付きデジタルカメラ。
【請求項６】
前記メモリ手段は、書き換え可能な読み出し専用メモリであることを特徴とする請求項２乃至請求項５のいずれかに記載の認証機能付きデジタルカメラ。
【請求項７】
前記所定操作は、ネットワーク接続操作であることを特徴とする請求項２乃至請求項６のいずれかに記載の認証機能付きデジタルカメラ。
【請求項８】
前記制御手段は、前記デジタルカメラがネットワークに接続され該ネットワークを介して該デジタルカメラにアクセス要求があったときパスワードの入力をアクセス元に要求し入力された前記パスワードが前記メモリ手段に登録されているパスワードと一致したとき該アクセスを許容することを特徴とする請求項２乃至請求項７のいずれかに記載の認証機能付きデジタルカメラ。
【請求項９】
前記制御手段と、前記一致したパスワードがアクセス権限の限定されたパスワードであった場合には該アクセス権限内のアクセスのみ許可することを特徴とする請求項２乃至請求項８のいずれかに記載の認証機能付きデジタルカメラ。
【請求項１０】
請求項２乃至請求項９のいずれかに記載の認証機能付きデジタルカメラの前記カード装着手段に着脱自在に装着されるメモリカードであって、該メモリカードのユーザを特定する前記パスワードが書き込まれていることを特徴とするメモリカード。
【発明の詳細な説明】
【技術分野】
【０００１】
本発明は、ネットワーク接続等のセキュリティ保護を図る必要のある操作を許可者に対してのみ許容するデジタルカメラの認証方法及び認証機能付きデジタルカメラ並びにメモリカードに関する。
【背景技術】
【０００２】
例えば下記特許文献１記載の従来技術の様に、デジタルカメラに無線ＬＡＮカード等を搭載することでデジタルカメラをネットワークに接続し、デジタルカメラで撮影した画像データをネットワークの大容量ファイルサーバに転送したり、ネットワークプリンタで印刷したりすることができる様になってきている。
【０００３】
また、同様のことがカメラ付携帯電話機でも行われ、下記特許文献２に記載の従来技術では、カメラ付携帯電話機で撮影した画像データを、ネットワークプリンタで印刷できる様になっている。
【０００４】
【特許文献１】特開２００３―２８３９００号公報
【特許文献２】特開２００３―２８１０２８号公報
【発明の開示】
【発明が解決しようとする課題】
【０００５】
デジタルカメラなどをネットワークに接続する場合、従来は、セキュリティの問題や、ネットワーク接続時の認証の問題を考慮していない。このため、ネットワーク接続可能なデジタルカメラを所持する者は、誰でもネットワークに接続することができてしまうという問題がある。
【０００６】
カメラ付携帯電話機は、個々人が所有し、他人が携帯し使用することが殆ど無いという特性を有するため、ネットワークに接続するとき一々本人の認証を行う必要がないといえる。しかし、デジタルカメラは、個々人が所有していても、友人知人に貸し借りする頻度が携帯電話機に比べて高く、デジタルカメラを借りた他人が何の認証も無くネットワークに接続できてしまうのは問題である。以上は、ネットワーク接続を例にしたが、ネットワーク接続に限らず、デジタルカメラを借りた他人が無制限にデジタルカメラを操作できるのは問題である。
【０００７】
本発明の目的は、デジタルカメラを操作するときの認証方法及び認証機能付きデジタルカメラ並びにメモリカードを提供することにある。
【課題を解決するための手段】
【０００８】
本発明のデジタルカメラの認証方法は、着脱自在のメモリカードに撮像画像データを記録すると共にカメラ本体内部にメモリ手段を有するデジタルカメラの認証方法において、該デジタルカメラの前記メモリ手段に該デジタルカメラの所定操作を許可するユーザを特定するパスワードを登録しておき、ユーザを特定するパスワードが書き込まれた前記メモリカードが前記デジタルカメラに装着され前記所定操作が要求された場合に、該メモリカードの前記パスワードと該デジタルカメラの前記メモリ手段に登録されているパスワードとが一致したとき前記所定操作が許可されることを特徴とする。
【０００９】
この構成により、デジタルカメラを他人が使用した場合でも所定操作は不可能となり、セキュリティ保護を図ることが可能となる。
【００１０】
本発明の認証機能付きデジタルカメラは、撮像画像データを記録するメモリカードが着脱自在に装着されるカード装着手段と、カメラ本体内に設けられ所定操作を許可するユーザを特定するパスワードが登録されたメモリ手段と、ユーザを特定するパスワードが書き込まれた前記メモリカードが前記カード装着手段に装着され前記所定操作が要求されたとき該メモリカードの前記パスワードが前記メモリ手段に登録されている前記パスワードと一致するか否かを判定し一致するとき該所定操作を許可する制御手段とを備えることを特徴とする。
【００１１】
この構成により、デジタルカメラを他人が使用した場合でも所定操作は不可能となり、セキュリティ保護を図ることが可能となる。
【００１２】
本発明の認証機能付きデジタルカメラは、前記メモリ手段に前記パスワードを登録する機能を搭載したことを特徴とする。
【００１３】
この構成により、カメラ単体でも認証機能を利用することが可能となる。
【００１４】
本発明の認証機能付きデジタルカメラは、前記カード装着手段に装着された前記メモリカードに前記パスワードを書き込む機能を搭載したことを特徴とする。
【００１５】
この構成により、カメラ単体でも認証機能を利用することが可能となる。
【００１６】
本発明の認証機能付きデジタルカメラの前記メモリ手段には、前記デジタルカメラの操作毎に操作権限を許可するユーザを特定するパスワードが登録されることを特徴とする。
【００１７】
この構成により、複数のサブユーザ毎にアクセス権限を制限可能となる。
【００１８】
本発明の認証機能付きデジタルカメラの前記メモリ手段は、書き換え可能な読み出し専用メモリであることを特徴とする。
【００１９】
この構成により、パスワードや対象ユーザをフレキシブルに変更可能となる。
【００２０】
本発明の認証機能付きデジタルカメラの前記所定操作は、ネットワーク接続操作であることを特徴とする。
【００２１】
この構成により、許可されたユーザのみがネットワーク接続を行うことができ、許可されていないユーザがデジタルカメラを通して勝手にネットワークに接続することが禁止される。
【００２２】
本発明の認証機能付きデジタルカメラの前記制御手段は、前記デジタルカメラがネットワークに接続され該ネットワークを介して該デジタルカメラにアクセス要求があったときパスワードの入力をアクセス元に要求し入力された前記パスワードが前記メモリ手段に登録されているパスワードと一致したとき該アクセスを許容することを特徴とする。
【００２３】
この構成により、デジタルカメラに装着されたメモリカードに記録されている画像データのネットワークを介した勝手な読み出しが禁止される。
【００２４】
本発明の認証機能付きデジタルカメラの前記制御手段と、前記一致したパスワードがアクセス権限の限定されたパスワードであった場合には該アクセス権限内のアクセスのみ許可することを特徴とする。
【００２５】
この構成により、サブユーザ毎のアクセス権限の制限が容易となる。
【００２６】
本発明のメモリカードは、上述したいずれかに記載の認証機能付きデジタルカメラの前記カード装着手段に着脱自在に装着されるメモリカードであって、該メモリカードのユーザを特定する前記パスワードが書き込まれていることを特徴とする。
【００２７】
この構成により、ユーザは、複数の認証機能付きデジタルカメラの各メモリ手段に自身のパスワードを登録しておけば、自身のメモリカードを装着するだけで各認証機能付きデジタルカメラで所定操作を行うことができ、一々、メモリカードにパスワードを書き込む必要がなくなる。
【発明の効果】
【００２８】
本発明によれば、他人が勝手にデジタルカメラでネットワーク接続などの所定操作を行うことが禁止され、セキュリティの高いデジタルカメラを提供可能となる。
【発明を実施するための最良の形態】
【００２９】
以下、本発明の一実施形態について、図面を参照して説明する。
【００３０】
図１は、本発明の一実施形態に係るデジタルカメラのブロック構成図である。このデジタルカメラは、フォーカスレンズや絞りを搭載した光学系１と、この光学系１の背部に設置されたＣＣＤ等の固体撮像装置２と、固体撮像装置２の出力信号を相関二重サンプリング処理やゲイン調整等のアナログ信号処理を行うアナログ信号処理部３と、アナログ信号処理部３から出力されるアナログの画像信号をデジタルの画像信号に変換するアナログデジタル（ＡＤ）変換器４と、ＡＤ変換器４で変換されたデジタルの画像信号を一時蓄積しバス５に出力するバッファメモリ６とを備える。
【００３１】
このデジタルカメラは更に、バス５に接続されデジタルの画像信号を取り込みγ変換処理やホワイトバランス補正処理等を行うデジタル信号処理部７と、バス５その他に接続されこのデジタルカメラを統括制御するメインＣＰＵ８と、バス５に接続されＲＧＢ信号でなる画像信号をＹＣ信号でなる画像信号に変換するＲＧＢ／ＹＣ変換器９と、ＲＧＢ／ＹＣ変換器９から出力される画像信号を表示する液晶表示部１０及びこの液晶表示部１０を駆動するドライバ１１とを備える。
【００３２】
更にこのデジタルカメラは、メインＣＰＵ８との間でＣＰＵ間通信を行い光学系１を制御するサブＣＰＵ１４と、サブＣＰＵ１４の指令を受けて固体撮像装置２やアナログ信号処理部３やＡＤ変換器４にクロック信号を出力するクロック発生器１５と、フラッシュ発光を行うフラッシュ管１６と、サブＣＰＵ１４からの指令を受けてフラッシュ管１６の発光制御を行う充電発光制御部１７とを備える。
【００３３】
更に、メインＣＰＵ８に接続されたＥＥＰＲＯＭ２０と、操作用の液晶表示部２１と、モードダイヤル等の各種スイッチ２２と、レリーズスイッチ２３と、メインＣＰＵ８との間で情報の授受を行いメインＣＰＵ８からの信号をネットワーク接続用の信号に変換するベースバンドモデム２４と、ベースバンドモデム２４に接続されたアンテナ２５とを備える。
【００３４】
更に、バス５に接続され、デジタル信号処理部７から出力されるＲＧＢの画像信号をＪＰＥＧ等の画像信号に圧縮したり、あるいは逆に、メモリカード３０から読み出したＪＰＥＧ等の圧縮画像信号を伸長したりすると共に、メモリカード３０に登録されているＩＤ番号やパスワードを抽出する処理を行う圧縮伸長ＩＤ抽出部２６と、メモリカード３０が着脱自在に装着されメモリカード３０と圧縮伸長ＩＤ抽出部２６との間に設けられたインタフェース（ＩＦ）部２７とを備える。
【００３５】
本実施形態のデジタルカメラは、ＥＥＰＲＯＭ２０に、このデジタルカメラのメインユーザのＩＤ番号とパスワード（ＰＡＳＳ）とを登録しておく。あるいは更に、このデジタルカメラのサブユーザのＩＤ番号やパスワードも一緒に登録しておく。この登録は、モードダイヤル等の各種スイッチ２２を用いてデジタルカメラに直接入力することで行い、また、デジタルカメラにＩＯケーブルにて接続したパーソナルコンピュータ等の端末装置から入力することで行う。
【００３６】
あるいは、図２に示すデジタルカメラの様に、メインＣＰＵ８に、ＩＤ／ＰＡＳＳ入力用スイッチ２８を接続しておき、このスイッチ２８を押下して撮像したＩＤ番号やパスワードの記号、或いはこれらに対応したバーコード等の撮像画像をメインＣＰＵ８が解析することで、ＩＤ番号やパスワードをＥＥＰＲＯＭ２０に登録することでもよい。
【００３７】
本実施形態では、デジタルカメラ本体側のＥＥＰＲＯＭ２０にメインユーザやサブユーザのＩＤ番号やパスワードを登録する他に、このデジタルカメラに着脱自在に装着するメモリカード３０のＥＸＩＦ領域にも、このメモリカード３０のユーザのＩＤ番号とパスワードとを登録しておく。
【００３８】
デジタルカメラは、友人知人間で貸し借りする頻度が高いが、撮像した画像データは個々人の個人情報に類するデータでもあるため、メモリカードまで貸し借りする頻度は小さい。このため、メモリカード３０に該メモリカード３０のユーザのＩＤ番号、パスワードを登録しておく。この登録は、例えば、パーソナルコンピュータのメモリカード装着スロットにメモリカード３０を装着し、ＩＤ番号とパスワードとを書き込むことで行う。この書込は、自宅のパーソナルコンピュータでも、メモリカード３０の販売店設置のコンピュータでも行える。あるいは、デジタルカメラにメモリカード３０を装着しデジタルカメラを用いて書き込むことでもよい。
【００３９】
図３は、上述したデジタルカメラで行う本人認証手順を示すフローチャートである。先ず、メインＣＰＵ８は、メディア（メモリカード）にＩＤ番号やパスワードが登録済みであるか否かを判定し（ステップＳ１）、登録済みである場合には次のステップＳ３に進み、登録済みでない場合には、カメラ本体またはパーソナルコンピュータ等の端末機器を用いてメモリカード３０にＩＤ番号とパスワードの登録を行って（ステップＳ２）からステップＳ３に進む。
【００４０】
ステップＳ３では、カメラ本体内のＥＥＰＲＯＭ２０に登録されているメインユーザのパスワードとメモリカード３０に登録されているパスワードとを照合し、一致しているか否かを判定する（ステップＳ４）。一致している場合には、液晶表示部２１または１０に「認識しました」と表示して（ステップＳ５）、セキュリティ保護が必要な操作、例えばネットワーク接続操作を許可し、この処理を終了する。一致していない場合には、「パスワードが一致しません」と表示して（ステップＳ６）、ネットワーク接続等を不許可とし、この処理を終了する。
【００４１】
尚、メモリカードに登録されているパスワードがデジタルカメラのサブユーザのパスワードであり、このサブユーザがメインユーザからネットワーク接続を許可されている場合には、ステップＳ４での照合判定の結果は「一致」となる。どのサブユーザにどの様な操作を許可するかは、ＥＥＰＲＯＭ２０内に設定しておけばよく、撮影操作などの基本操作も対象とすることができる。
【００４２】
図４は、ネットワークに接続されたデジタルカメラのメモリカードに対しネットワークの他のパーソナルコンピュータ等の端末装置からアクセスがあったときの処理手順を示すフローチャートである。このデジタルカメラは、図３で説明した様に、カメラ本体のＥＥＰＲＯＭ２０内のパスワードとメモリカード３０内のパスワードとが一致しているため、ネットワーク接続が可能となっている。
【００４３】
ネットワークの他のパーソナルコンピュータ等がデジタルカメラにアクセスすると（ステップＳ１０）、デジタルカメラのメインＣＰＵ８はアクセス元に対してパスワードの入力を要求し、パーソナルコンピュータ等はパスワードを入力することになる（ステップＳ１１）。
【００４４】
メインＣＰＵ８は、入力されたパスワードとＥＥＰＲＯＭ２０内のパスワードとを照合し（ステップＳ１２）、一致するか否かを判定する（ステップＳ１３）。パスワードが一致しない場合には、「パスワードが一致しません」と表示（ステップＳ１４）してメモリカードへのアクセスを拒否し、この処理を終了する。
【００４５】
パスワードが一致する場合には、そのパスワードがメインユーザのパスワードであるか否かを判定し（ステップＳ１５）、メインユーザである場合には、メモリカード３０へのフルアクセスを許可し（ステップＳ１６）、この処理を終了する。
【００４６】
パスワードは一致するが、そのパスワードがメインユーザでなくサブユーザのものである場合には、権限を限定したアクセスを許可し（ステップＳ１７）、この処理を終了する。これにより、例えば、デジタルカメラに複数枚のメモリカードが挿入されていても、メモリカードに登録されているパスワードがステップＳ１１で入力されたパスワードと一致するメモリカードに対してのみアクセスが許可され、また、画像データの読み出しのみが許可され、書き込み（削除を含む）などの操作は禁止される。
【産業上の利用可能性】
【００４７】
本発明に係るデジタルカメラは認証機能を有するためセキュリティが高いという効果を奏し、高機能化を図ったデジタルカメラとして有用である。
【図面の簡単な説明】
【００４８】
【図１】本発明の一実施形態に係るデジタルカメラのブロック構成図である。
【図２】本発明の別実施形態に係るデジタルカメラのブロック構成図である。
【図３】本発明の一実施形態に係るデジタルカメラで行う認証処理手順を示すフローチャートである。
【図４】本発明の一実施形態に係るデジタルカメラをネットワーク接続したときのカメラへの外部からのアクセス処理を認証する処理手順を示すフローチャートである。
【符号の説明】
【００４９】
１  光学系
２  固体撮像装置
３  アナログ信号処理部
７  デジタル信号処理部
８  メインＣＰＵ
２０  ＥＥＰＲＯＭ（カメラ本体内のメモリ）
２６  圧縮伸長ＩＤ抽出部
２７  インタフェース部（カード装着手段）
３０  着脱自在のメモリカード
【図１】
2006041873.tif 000003
【図２】
2006041873.tif 000004
【図３】
2006041873.tif 000005
【図４】
2006041873.tif 000006